(57)【要約】【課題】  ワイヤレスマイクを備えたカラオケ演奏装置において、他のカラオケルームや近隣の通信環境を把握して、混信の発生を低減させる。【解決手段】  楽曲の演奏が行われていない場合に、ワイヤレスマイク２８を制御して、その送信信号を所定時間、制限するマイク制御手段５２と、ワイヤレスマイク２８からの送信信号が制限されている所定時間内に、ＦＭ受信器２６が受信した電波発信源３１からの送信信号の周波数及び電波強度を検出する周波数検出手段４９と、検出結果に基づいて検出周波数データベース４４ｃを構築する検出周波数記憶手段５０と、ワイヤレスマイク２８に設定されている周波数データ及び検出周波数データを参照して、その周波数及び電波強度に基づき、ワイヤレスマイク２８からの送信信号と混信の可能性がある検出周波数データを識別可能に出力する検出周波数データ出力手段５１と、を備える。【選択図】  図１
2010200214.tif 000002
【特許請求の範囲】
【請求項１】
ワイヤレスマイクからの送信信号を受信する受信器を備えたカラオケ演奏装置において、当該カラオケ演奏装置に付帯するワイヤレスマイクからの送信信号が、前記受信器の受信範囲内にある他の電波発信源からの送信信号と混信しないように、前記ワイヤレスマイクからの送信信号の周波数を設定可能なマイク送信信号の混信防止システムであって、
楽曲の演奏が行われていない場合に、前記ワイヤレスマイクを制御して、当該ワイヤレスマイクからの送信信号を所定時間、制限するためのマイク制御手段と、
前記マイク制御手段により前記ワイヤレスマイクからの送信信号が制限されている所定時間内に、前記受信器が受信した任意の電波発信源からの送信信号の周波数及び電波強度を検出するための周波数検出手段と、
前記周波数検出手段における検出結果に基づいて検出周波数データベースを構築するための検出周波数記憶手段と、
前記ワイヤレスマイクに設定されている周波数データと、前記検出周波数データベースに格納された検出周波数データとを参照して、その周波数及び電波強度に基づき、前記ワイヤレスマイクからの送信信号と混信の可能性がある検出周波数データを識別可能に出力するための検出周波数データ出力手段と
を備えたことを特徴とするマイク送信信号の混信防止システム。
【請求項２】
前記ワイヤレスマイクに設定されている送信信号の周波数データと、当該ワイヤレスマイクからの送信信号と混信の可能性がある検出周波数データとに基づいて、当該ワイヤレスマイクからの送信信号が他の電波発信源からの送信信号と混信しないように、当該ワイヤレスマイクからの送信信号の周波数を自動設定するための周波数設定手段、
をさらに備えたことを特徴とする請求項１に記載のマイク送信信号の混信防止システム。
【請求項３】
前記ワイヤレスマイクからの送信信号と混信の可能性がある検出周波数データは、
当該ワイヤレスマイクからの送信信号の周波数と同一又は隣接する周波数、若しくは相互変調で影響を受ける周波数であって、かつ所定値以上の電波強度である電波発信源からの送信信号の周波数データである、ことを特徴とする請求項１又は２に記載のマイク送信信号の混信防止システム。
【発明の詳細な説明】
【技術分野】
【０００１】
本発明は、カラオケ演奏装置に付帯するワイヤレスマイクと、当該カラオケ演奏装置に付帯する受信器の受信範囲内にある他の電波発信源とが混信しないように、当該カラオケ演奏装置に付帯するワイヤレスマイクの周波数を設定可能なマイク送信信号の混信防止システムに関するものである。
【背景技術】
【０００２】
現在のカラオケ演奏装置は、ＦＭワイヤレスマイクを利用して利用者の音声を入力するものが多い。すなわち、現在のカラオケ演奏装置はＦＭ受信器を備えており、このＦＭ受信器により、ワイヤレスマイクから発信される歌唱音声信号を受信するようになっている。一般的なＦＭ受信器は、複数の周波数を割り当てることができ、複数のワイヤレスマイクを用いる場合には、各ワイヤレスマイクが混信しないように、周波数が設定される。
【０００３】
しかし、カラオケ演奏装置の近隣に同一の周波数を発信する電波発信源が存在する場合には、混信が発生するおそれがある。例えば、車道に面したビルに多数のカラオケ演奏装置が設置されているカラオケボックスでは、タクシー無線等の車両無線や別室のワイヤレスマイクから発信された音声信号が混信することがある。さらに、カラオケ演奏装置のＦＭワイヤレスマイクで使用されている周波数帯はＢ型帯であり、この周波数帯にて３０チャンネルが使用可能であり、３次相互変調ひずみ等の影響により混信が生じないように、各チャンネルが６グループ（６チャンネルの４グループ、５チャンネルの１グループ、１チャンネルの１グループ）に分けられ、同一グループ内の各チャンネル同士にて混信が生じないようにチャンネルプランされている（図３参照）。しかし、各カラオケ店舗では、独自にワイヤレスマイクの周波数チャンネルを設定しているため、同一のカラオケ店舗内では混信が生じない設定となっている場合であっても、カラオケ店舗が密集している地域では、他のカラオケ店舗で使用するワイヤレスマイクと混信を生じる場合がある。
【０００４】
そこで、従来、ワイヤレスマイクの混信を防止するための技術が種々提案されている（特許文献１、特許文献２参照）。特許文献１に記載された技術は、複数のチャンネルで同時受信できるレシーバーと複数のワイヤレスマイクとにより構成されるワイヤレスマイクシステムにおいて、システム間での混信を防止し、受信チャンネルがわからないレシーバーに合わせてワイヤレスマイクの送信チャンネルを短時間で自動設定できるようにしたものである。この技術は、同時に受信可能な複数の異なるバンドにそれぞれ対応した複数の受信回路手段と、各受信回路手段における複数の受信可能チャンネルの中から１つのチャンネルを指示するチャンネル指示信号を近辺に無線送信するチャンネル指示手段とを備えたレシーバーと、それぞれがレシーバーにおける複数のバンドのどれかに適合していて適合バンドにより外観が異なり、レシーバーからのチャンネル指示信号を受信して複数の送信可能チャンネルの中から１つのチャンネルを選択するチャンネル切替手段を備えた複数のワイヤレスマイクと、により構成されている。
【０００５】
特許文献２に記載された技術は、同じ領域内で同時に使用される複数のワイヤレスマイク用の各受信機に対して、同時に使用可能な周波数の組み合わせに基づいて周波数を自動的に設定できるようにしたものである。この技術は、各受信機を、接続ケーブルを介して相互通信可能に接続し、その内の１台を親機、残りを子機として、親機から第１子機に空きチャンネル情報を送信してその子機側において使用可能な周波数を設定させ、その設定周波数情報を親機にフィードバックさせて空きチャンネル情報を更新し、第２子機以降も同様にして相互通信を行って各受信機に相互干渉をしない周波数を設定するようになっている。
【０００６】
また、入力信号が存在しない場合におけるＦＭ特有の雑音の除去に加えて、目的とするトーン周波数グループのみの音声を出力し、さらにスケルチテールの消音を実現するための技術として、トーンスケルチが知られている。このトーンスケルチは、無線発信側で特定のトーン信号を連続送信し、受信側では、この特定のトーン信号を検出した時にだけ音声を出力するような技術である。すなわち、発信側のトーン信号が自己向けの有効な信号であると確実に認識する必要があり、このためにＣＴＣＳＳ（アナログ変調信号）を用いる場合と、ＤＣＳ（デジタル変調信号）を用いる場合とがある。
【０００７】
ＣＴＣＳＳを用いるトーンスケルチは、受信回路に高感度のフィルタを備えており、所定の周波数トーンを検出して、数Ｈｚの違いで５０個のトーンを識別することができる。なお、トーン音レベルは音声レベルより低く設定されており、また、３００Ｈｚ以下の周波数成分を除去しているので、音声の明瞭度に影響を与えることはない。
【０００８】
また、ＤＣＳを用いるトーンスケルチは、１３４．３ｂｐｓで送信されるデジタル信号を用いて搬送波を直接ＦＭ変調するもので、個別識別コードを挿入すると共に、特定の符号のみを使用することによって、１０３個のトーンを識別することができる。なお、カラオケ装置で使用されるＦＭワイヤレスマイクは、例えば３２．７６８ＫＨｚ可聴帯域外のトーンスケルチの制御を行っている。
【先行技術文献】
【特許文献】
【０００９】
【特許文献１】特開２００４−２８９４５３号公報
【特許文献２】特開２００３−２４４００８号公報
【発明の概要】
【発明が解決しようとする課題】
【００１０】
ところで、一般的なカラオケ演奏装置は、デュエット曲等を想定して２本以上のワイヤレスマイクに対応しており、各ワイヤレスマイクと受信器とに周波数を設定する際、各ワイヤレスマイクが混信しないように、それぞれ異なる周波数を設定している。ここで、他のカラオケルーム等に設置されたワイヤレスマイクの周波数を考慮せずに、当該カラオケ演奏装置で周波数の設定を行ってしまうと、混信が発生してしまう。そこで、上述した従来技術を用いてワイヤレスマイクの混信を防ぐことになるが、ワイヤレスマイクの混信を効果的に防止するためには、さらなる工夫が必要である。
【００１１】
すなわち、特許文献１や特許文献２に記載された技術は、特定のカラオケ演奏装置において、ワイヤレスマイクの周波数設定を容易に行うことができるが、近隣に存在する他のワイヤレスマイクの周波数及び電波強度を考慮していないので、混信を効果的に防止することができるとは言い難かった。
【００１２】
また、トーンスケルチ技術は、目的とするトーン周波数グループのみの音声を出力することができるが、特定のトーン周波数を選択受信するものではないため、一度スケルチが開いてしまうと、近隣に、同一の周波数帯のグループに属するワイヤレスマイクが存在した場合には、混信を生じる可能性がある。
本発明は、上述した事情に鑑み提案されたもので、ワイヤレスマイクを備えたカラオケ演奏装置において、他のカラオケルームや近隣の通信環境を把握して、混信の発生を低減させることが可能なマイク送信信号の混信防止システムを提供することを目的とする。
【課題を解決するための手段】
【００１３】
本発明のマイク送信信号の混信防止システムは、上述した目的を達成するため、以下の特徴点を有している。すなわち、本発明のマイク送信信号の混信防止システムは、ワイヤレスマイクからの送信信号を受信する受信器を備えたカラオケ演奏装置において、当該カラオケ演奏装置に付帯するワイヤレスマイクからの送信信号が、受信器の受信範囲内にある他の電波発信源からの送信信号と混信しないように、ワイヤレスマイクからの送信信号の周波数を設定可能なシステムであって、マイク制御手段と、周波数検出手段と、検出周波数記憶手段と、検出周波数データ出力手段と、を備えている。
【００１４】
マイク制御手段は、楽曲の演奏が行われていない場合に、ワイヤレスマイクを制御して、当該ワイヤレスマイクからの送信信号を所定時間、制限するための手段である。周波数検出手段は、マイク制御手段によりワイヤレスマイクからの送信信号が制限されている所定時間内に、受信器が受信した任意の電波発信源からの送信信号の周波数及び電波強度を検出するための手段である。検出周波数記憶手段は、周波数検出手段における検出結果に基づいて検出周波数データベースを構築するための手段である。検出周波数データ出力手段は、ワイヤレスマイクに設定されている周波数データと、検出周波数データベースに格納された検出周波数データとを参照して、その周波数及び電波強度に基づき、ワイヤレスマイクからの送信信号と混信の可能性がある検出周波数データを識別可能に出力するための手段である。
【００１５】
このような構成からなるマイク送信信号の混信防止システムでは、曲間等のように楽曲の演奏が行われていない場合に、マイク制御手段の機能により、当該カラオケ演奏装置に付帯するワイヤレスマイクからの送信信号が受信器で受信されないように制限を行う。このような制限を行うには、例えば、ワイヤレスマイクの電源を強制的にオフとすればよい。これにより、受信器には、当該カラオケ演奏装置に付帯するワイヤレスマイクからの電波が入力されずに、他のカラオケルーム等に設置されたワイヤレスマイク等の電波発信源からの電波を受信することができる。
【００１６】
この状態で、周波数検出手段の機能により、受信器が受信した任意の電波発信源からの送信信号の周波数及び電波強度を検出し、検出周波数記憶手段の機能により、検出周波数データベースを構築する。すなわち、カラオケ演奏中には、カラオケ演奏装置に付帯したワイヤレスマイクからの音声信号を受信するために周波数がロックされているので、当該周波数以外の電波発信源から発信された送信信号のデータを収集することはできない。このため、楽曲の演奏が行われていない期間を利用して、近隣に存在するワイヤレスマイク等の電波発信源が発信している電波の状態を把握する。また、カラオケ演奏装置に付帯したワイヤレスマイクの電源がオンである場合には、同一周波数に設定されている他のワイヤレスマイクからの電波を識別することができないが、カラオケ演奏装置に付帯したワイヤレスマイクの電源がオフとなっていれば、同一周波数に設定されている他のワイヤレスマイクからの電波の状態を把握することができる。
【００１７】
そして、検出周波数データ出力手段の機能により、当該カラオケ演奏装置に付帯するワイヤレスマイクに設定されている周波数データと、検出周波数データベースに格納された検出周波数データとを参照して、その周波数及び電波強度に基づいて所定の演算を行い、当該ワイヤレスマイクからの送信信号と混信の可能性がある検出周波数データを識別可能に出力する。出力されたデータは、カラオケ演奏装置に付帯する液晶表示装置等に表示される。
【００１８】
また、上述した構成に加えて、周波数設定手段を備えることが可能である。周波数設定手段は、ワイヤレスマイクに設定されている送信信号の周波数データと、当該ワイヤレスマイクからの送信信号と混信の可能性がある検出周波数データとに基づいて、当該ワイヤレスマイクからの送信信号が他の電波発信源からの送信信号と混信しないように、当該ワイヤレスマイクからの送信信号の周波数を自動設定するための手段である。
【００１９】
このような構成からなるマイク送信信号の混信防止システムでは、周波数設定手段の機能により、当該カラオケ演奏装置に付帯するワイヤレスマイクに対して、近隣のワイヤレスマイク等の電波発信源と混信しないような周波数が自動設定される。
【００２０】
ここで、ワイヤレスマイクからの送信信号と混信の可能性がある検出周波数データは、当該ワイヤレスマイクからの送信信号の周波数と同一又は隣接する周波数、若しくは相互変調で影響を受ける周波数であって、かつ所定値以上の電波強度である電波発信源からの送信信号の周波数データとすることが可能である。
【００２１】
すなわち、カラオケ演奏装置に付帯するワイヤレスマイクと混信する可能性があるのは、当該ワイヤレスマイクからの送信信号の周波数と同一又は隣接する周波数の電波であるか、あるいは相互変調で影響を受ける周波数の電波である。さらに、これらの電波であっても、ＦＭ受信器の性能上の受信Ｃ／Ｎ比を上回る場合には、混信する可能性が低い。したがって、当該ワイヤレスマイクからの送信信号の周波数と同一又は隣接する周波数の電波であるか、あるいは相互変調で影響を受ける周波数の電波であって、かつＦＭ受信器の性能上の受信Ｃ／Ｎ比を下回る電波について、当該ワイヤレスマイクからの送信信号と混信する可能性と判断すればよい。
【００２２】
ここで、隣接する周波数とは、例えばＢ型帯において、任意のワイヤレスマイクからの送信信号の周波数と比較して、１２５ｋＨｚ程度以内の差を有する周波数のことである。また、相互変調で影響を受ける周波数とは、目的波以外の２つ以上の不要波が受信器に入信した際に、回路の非直線性により生じる、不要波における高調波の和又は差の周波数のことをいう。このような周波数が受信器の中間周波数や影像周波数に合致すると混信を生じることになる。相互変調による混信では、特に３次相互変調の周波数成分が問題となる。すなわち、２次相互変調の周波数成分は、目的波に影響を与えない帯域の低周波又は高周波の成分であるため、混信を考慮する際に問題となる可能性は低い。また、４次相互変調の周波数成分や５次以上の相互変調の周波数成分のような高次の周波数成分は、一般的に強度が弱いため、混信を考慮する際に問題となる可能性は低い。
【００２３】
例えば、カラオケルーム内で、ワイヤレスマイク（１）を３２チャンネルで使用するとともに、ワイヤレスマイク（２）を３８チャンネルで使用していた場合に、ワイヤレスマイク（１）とワイヤレスマイク（２）との３次相互変調による干渉波が２６チャンネルと４４チャンネルに発生する。このような状況下で、さらに１本のワイヤレスマイク（３）を追加する場合には、ワイヤレスマイク（１）とワイヤレスマイク（２）と同一の３２チャンネル及び３８チャンネル、これらと隣接する３１チャンネル、３３チャンネル、３７チャンネル、３９チャンネル、さらに、３次相互変調混信が発生する２６チャンネル及び４４チャンネル以外の周波数チャンネルを使用しなければならない。
【００２４】
また、上述した状況下では、他の電波発信源（例えば他のカラオケルームのワイヤレスマイクや業務無線の２次高調波）からの送信信号が２６チャンネルであった場合には、この２６チャンネルの送信信号と、３２チャンネルを使用するワイヤレスマイク（１）との干渉波が３８チャンネルに発生するため、この干渉波と３８チャンネルを使用するワイヤレスマイク（２）の送信信号とが混信してしまう。同様に、他の電波発信源（例えば他のカラオケルームのマイクロホンや業務無線の２次高調波）からの送信信号が４４チャンネルであった場合には、この４４チャンネルの送信信号と、３８チャンネルを使用するワイヤレスマイク（２）との干渉波が３２チャンネルに発生するため、この干渉波と３２チャンネルを使用するワイヤレスマイク（１）の送信信号とが混信してしまう。
【００２５】
また、受信Ｃ／Ｎ比は、ワイヤレスマイクが設置された環境により変化するため、本発明では、所定値以上の電波強度である電波発信源からの送信信号であることを、混信の可能性があるとみなすための条件の１つとしている。
【発明の効果】
【００２６】
本発明のマイク送信信号の混信防止システムによれば、カラオケ演奏装置において楽曲が演奏されていない期間に、当該カラオケ演奏装置に付帯したワイヤレスマイクからの送信信号が受信器で受信されないようにして、近隣に存在する電波発信源から発信される信号の周波数及び電波強度を把握する。そして、検出周波数データに基づいて、当該カラオケ演奏装置に付帯するワイヤレスマイクに設定されている周波数データと、これと混信する可能性がある検出周波数データとを出力する。したがって、カラオケ演奏装置のサービスマン等が、他のカラオケルームや近隣の通信環境を適格に把握して、ワイヤレスマイクの周波数を設定することにより、混信の発生を低減させることが可能となる。
【００２７】
また、当該カラオケ演奏装置に付帯するワイヤレスマイクに対して、近隣の電波発信源からの信号と混信しないような周波数を自動設定する構成とした場合には、ワイヤレスマイクの周波数の設定がさらに容易となり、より一層適格に、混信の発生を低減させることが可能となる。
【図面の簡単な説明】
【００２８】
【図１】本発明の実施形態に係るマイク送信信号の混信防止システムの主要機能の構成を示すブロック図。
【図２】本発明の実施形態に係るマイク送信信号の混信防止システムを適用するカラオケ演奏装置の全体構成を示すブロック図。
【図３】本発明の実施形態に係るワイヤレスマイクで使用する周波数を示す説明図。
【図４】検出周波数データベースの構成例を示す説明図。
【図５】混信度数の算出及び周波数の変更方法を示す説明図。
【図６】検出周波数データの表示例を示す模式図。
【発明を実施するための形態】
【００２９】
以下、図面を参照して、本発明のマイク送信信号の混信防止システムの実施形態を説明する。本発明の実施形態に係るマイク送信信号の混信防止システムは、ワイヤレスマイクからの送信信号を受信する受信器を備えたカラオケ演奏装置において、当該カラオケ演奏装置に付帯するワイヤレスマイクからの送信信号が、受信器の受信範囲内にある他の電波発信源からの送信信号と混信しないように、ワイヤレスマイクからの送信信号の周波数を設定可能なシステムであって、マイク制御手段と、周波数検出手段と、検出周波数記憶手段と、検出周波数データ出力手段と、を備えている。なお、以下の説明では、混信電波を発信する可能性がある電波発信源として、当該カラオケ演奏装置の近隣に存在するワイヤレスマイクを例にとって説明を行うが、混信電波を発信する可能性がある電波発信源とは、このようなワイヤレスマイクに限られず、例えば、タクシー無線機、アマチュア無線機等、他の電波発信源を含む概念である。
【００３０】
図１に、本発明の実施形態に係るマイク送信信号の混信防止システムの主要機能の構成を示す。また、図２に、本発明の実施形態に係るマイク送信信号の混信防止システムを適用するカラオケ演奏装置の全体構成を示す。まず、図２を参照して、カラオケ演奏装置の構成について説明する。なお、本実施形態では、一般的に普及しているＦＭ波を搬送波とするワイヤレスマイクを使用する。したがって、ワイヤレスマイクから発信される歌唱音声信号を受信するための受信器は、ＦＭ受信器となっているが、他の方式のワイヤレスマイクを用いる場合には、その方式に適応した受信器を使用することになる。
【００３１】
＜カラオケ演奏装置＞
本発明の実施形態のカラオケ演奏装置１１は、図２に示すように、カラオケ本体２１、カラオケリモコン装置２２、表示装置２３、ミキシングアンプ２４、トーンスケルチ手段２５、ＦＭ受信器２６、スピーカ２７、ワイヤレスマイク２８、赤外線送受信器２９を備えている。
【００３２】
＜カラオケリモコン装置＞
カラオケリモコン装置２２は、ユーザインタフェース機能を備えており、カラオケ本体２１の送受信手段４５に対して有線方式又は無線方式によりデータの送受信を行うようになっている。このカラオケリモコン装置２２は、楽曲検索手段２２ａとして機能するプログラム、楽曲索引データベース（楽曲索引ＤＢ）２２ｂ、データの送受信を行うための回路基板及びプログラム、フラッシュメモリ等からなる記憶手段（図示せず）を備えている。
【００３３】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケ演奏装置１１で演奏に供される楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００３４】
＜カラオケ本体＞
カラオケ本体２１は、中央制御手段４１、ＲＯＭ４２、ＲＡＭ４３、ＨＤＤ４４、送受信手段４５、予約管理手段４６、映像再生制御手段４７、音楽再生制御手段４８、周波数検出手段４９、検出周波数記憶手段５０、検出周波数データ出力手段５１、マイク制御手段５２を備えている。さらに、ワイヤレスマイク２８の周波数を自動設定する構成とした場合には、上述した構成要素に加えて、周波数設定手段５３を備える。
【００３５】
＜中央制御手段＞
中央制御手段４１は、カラオケ本体２１を総合的に制御するための手段であり、例えばＣＰＵ及びその周辺機器により構成されており、ＣＰＵ等がＲＯＭ４２等に記憶されたアプリケーションプログラムに従って動作することにより、制御機能を発揮することができるようになっている。
【００３６】
＜ＲＯＭ／ＲＡＭ＞
ＲＯＭ４２は、カラオケ本体２１を構成する各機器を制御するためのアプリケーションプログラムデータや数値データを記憶するための機器で、例えば半導体メモリ等で構成される。また、ＲＡＭ４３は、アプリケーションプログラムや各種データを一時的に記憶する一時記憶領域として機能するもので、例えば半導体メモリ等で構成される。なお、物理的な半導体メモリによりＲＡＭ４３を構成するのではなく、ハードディスク記憶装置等を用いて仮想的なＲＡＭ４３を構成してもよい。本実施形態では、ＲＡＭ４３に、予約待ち行列４３ａが格納されている。
【００３７】
＜ＨＤＤ＞
ＨＤＤ４４には、楽曲データベース（楽曲ＤＢ）４４ａ、映像データベース（映像ＤＢ）４４ｂ、検出周波数データベース（検出周波数ＤＢ）４４ｃが格納されている。なお、ＨＤＤ４４に替えて、あるいはＨＤＤ４４と共に、データを書き替え可能なＤＶＤ等の大容量記憶装置を用いてもよい。
【００３８】
楽曲データベース４４ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期された楽曲の歌詞文字データである。映像データベース４４ｂは、演奏される楽曲に対応した背景映像を、当該楽曲の楽曲ＩＤに対応させた映像ファイルとして所定数格納したデータベースである。検出周波数データベース４４ｃについては、後に詳述する。
【００３９】
＜送受信手段＞
送受信手段４５は、カラオケリモコン装置２２との間でデータの送受信を行うための電子回路及びプログラムからなる。
【００４０】
＜予約管理手段＞
予約管理手段４６は、利用者により楽曲検索手段２２ａの機能を用いて選曲され、送受信手段４５を介して送信された当該選曲者の利用者情報（例えば利用者ＩＤ）及び選曲された楽曲ＩＤを対応付けて予約待ち行列４３ａとしてＲＡＭ４３に格納し、管理するためのプログラムである。なお、楽曲選択の表示や予約待ち行列４３ａの表示は、カラオケリモコン装置２２の入出力表示部（図示せず）及び表示装置２３のいずれか一方、あるいは双方で行うことができる。
【００４１】
＜映像再生制御手段／表示装置＞
映像再生制御手段４７は、カラオケ楽曲の演奏中に、映像データベース４４ｂから抽出した映像データ及び楽曲データベース４４ａから抽出した楽曲データのうちの歌詞テロップデータ（歌詞文字データ）を、当該楽曲の演奏データに同期させて表示装置２３に出力するための電子回路である。また、本実施形態では、映像再生制御手段４７の機能として、検出周波数データ出力手段５１により出力されるデータを、表示装置２３に出力する機能を有している。
表示装置２３は、カラオケ演奏時の映像、歌詞テロップ等を表示するための装置で、例えば、ＣＲＴディスプレイ、液晶ディスプレイ、プラズマディスプレイ等により構成される。
【００４２】
＜音楽再生制御手段／ミキシングアンプ＞
音楽再生制御手段４８は、楽曲ＩＤに基づいて楽曲データベース４４ａから抽出された演奏データをデジタル再生すると共にアナログ変換してミキシングアンプ２４に出力するための電子回路である。ミキシングアンプ２４は、ワイヤレスマイク２８から入力された歌唱者の歌唱音声信号と、音楽再生制御手段４８から送出される演奏音声信号とをミキシングすると共に、アンプ機能により増幅してスピーカ２７より出力させるための装置である。なお、ワイヤレスマイク２８の数は１本に限られず、２本以上であってもよい。
【００４３】
＜ＦＭ受信器＞
ＦＭ受信器２６は、ＦＭ波を搬送波とするワイヤレスマイク２８からの歌唱音声信号を受信するための装置である。上述したように、ＦＭ受信器２６で受信した歌唱音声信号がミキシングアンプ２４に入力され、音楽再生制御手段４８から送出される演奏音声信号とミキシングされる。また、ＦＭ受信器２６は、近隣に存在する電波発信源３１から発信される電波を受信する機能を有している。この際、当該カラオケ演奏装置１１で使用されているワイヤレスマイク２８の周波数帯がスキャンされ、電波発信源３１から発信される電波の周波数及び電波強度等が検知される。
【００４４】
＜トーンスケルチ手段＞
トーンスケルチ手段２５は、歌唱音声信号が入力されない場合の雑音を除去すると共に、予め設定された周波数グループのみの音声を出力し、さらに、スケルチテールの消音を実現するための回路である。このトーンスケルチ手段２５は、復調器（デコーダ）２５ａ、フィルタ機能を備えたトーン検出器２５ｂ、スイッチの開閉を制御するための制御器２５ｃを備えている（図１参照）。なお、図示していないが、本実施形態では、トーンスケルチの機能に加えてノイズスケルチの機能も備えている。
【００４５】
＜赤外線送受信器＞
赤外線送受信器２９は、赤外線通信により、ワイヤレスマイク２８との間でデータの送受信を行うための装置である。本実施形態では、赤外線送受信器２９からワイヤレスマイク２８に対して、オンオフ制御信号や周波数設定信号が送信される。これにより、ワイヤレスマイク２８の電源をオンオフしたり、周波数を設定したりすることができる。
【００４６】
＜マイク制御手段＞
マイク制御手段５２は、楽曲の演奏が行われていない場合に、ワイヤレスマイク２８を制御して、当該ワイヤレスマイク２８からの送信信号を所定時間、制限するためのプログラムからなる。本実施形態では、音楽再生制御手段４８から送出される演奏音声信号に基づいて、当該カラオケ演奏装置１１で楽曲の演奏が行われているか否かを検知するようになっている。そして、楽曲の演奏が行われていない場合、すなわち、音楽再生制御手段４８から演奏音声信号が送出されていない場合に、ワイヤレスマイク２８の電源を強制的にオフとすることにより、当該ワイヤレスマイク２８からの送信信号を制限している。
【００４７】
このように、マイク制御手段５２によりワイヤレスマイク２８からの送信信号を制限するのは、カラオケ演奏装置１１に付帯したワイヤレスマイク２８の電源がオンである場合には、同一周波数に設定されている他のワイヤレスマイク２８からの電波を識別することができないためである。本実施形態では、マイク制御手段５２からのオンオフ制御信号は、赤外線送受信器２９を介してワイヤレスマイク２８に送信される。
【００４８】
なお、マイク制御手段５２は、楽曲の演奏が行われていない場合に電源がオンとなっているワイヤレスマイク２８について、音楽再生制御手段４８から演奏音声信号が送出されている期間内に、当該ワイヤレスマイク２８の電源をオフとするための手段であり、ワイヤレスマイク２８の電源をオフ状態に移行させた後、所定時間経過後にオン制御信号を送信してオン状態に復帰させてもよいし、オン状態への復帰制御を行わずにそのままオフ状態を維持させてもよい。なお、楽曲の演奏が行われていない場合に電源がオフとなっているワイヤレスマイク２８については、マイク制御手段５２によるオンオフ制御は行わない。
【００４９】
また、マイク制御手段５２によるワイヤレスマイク２８の制御は、当該ワイヤレスマイク２８からの送信信号がＦＭ受信器２６で受信されないように制限を行うものであり、ワイヤレスマイク２８の電源をオフとする他に、出力される電波強度が小さくなるような制御を行ってもよいし、あるいは電源はオンであるが電波の出力がオフ状態となるような制御を行ってもよい。
【００５０】
＜周波数検出手段＞
周波数検出手段４９は、マイク制御手段５２によりワイヤレスマイク２８からの送信信号が制限されている所定時間内に、ＦＭ受信器２６が受信した任意の電波発信源３１からの送信信号の周波数及び電波強度を検出するためのプログラム及び電子回路からなる。すなわち、周波数検出手段４９は、楽曲の演奏が行われておらず、当該カラオケ演奏装置１１に付帯しているワイヤレスマイク２８のすべての電源がオフとなっている所定時間内に、当該ワイヤレスマイク２８が使用する所定の周波数の範囲でスキャンを行い、ＦＭ受信器２６が受信した任意の電波発信源３１（例えば、他店のワイヤレスマイク）の周波数及び電波強度を検出する。
【００５１】
スキャンする周波数の範囲は、例えばＢ型帯である。図３に、本実施形態のワイヤレスマイク２８で使用する周波数を示す。本実施形態のワイヤレスマイク２８で使用するＢ型帯は、図３に示すように、８０６．１２５ＭＨｚ〜８０９．７５０ＭＨｚの範囲において、１２５ｋＨｚピッチでチャンネルを設定したものであり、各チャンネルが６グループ（６チャンネルの４グループ、５チャンネルの１グループ、１チャンネルの１グループ）に分けられ、同一グループ内の各チャンネル同士にて混信が生じないようにチャンネルプランされている。なお、図３では、各周波数チャンネルに対して、周波数が小さい順にそれぞれ番号を付している。ここで、電波強度は、例えば電界強度０〜−７０ｄＢμのように与えられるが、本実施形態では説明を容易なものとするため、電波強度の範囲を５等分して「１」〜「５」までの５段階とし、数値が大きくなるほど電波強度が強くなるものとする。
【００５２】
＜検出周波数記憶手段＞
検出周波数記憶手段５０は、周波数検出手段４９における検出結果に基づいて検出周波数データベース４４ｃを構築するためのプログラムからなる。本実施形態では、ＨＤＤ４４に検出周波数データベース４４ｃが格納されている。図４に、検出周波数データベース４４ｃの構成例を示す。本実施形態の検出周波数データベース４４ｃは、図４に示すように、当該カラオケ演奏装置１１に付帯したワイヤレスマイク２８（ワイヤレスマイク（１）及びワイヤレスマイク（２））と、ＦＭ受信器２６が受信した任意の電波発信源３１（例えば、他店のワイヤレスマイク）について、その周波数、グループ、電波強度、混信度数を関連付けて記憶したものである。混信度数については、後に詳述する。なお、検出周波数データベース４４ｃを構成するデータは、少なくとも周波数と電波強度とを含んでいればよいが、これらのデータの他に、電波を受信した時間データが含まれていてもよい。
【００５３】
また、トーンスケルチ手段２５のトーン検出器２５ｂで検出したトーン信号には、ワイヤレスマイク２８を識別するための符号を含ませることができる。そこで、この識別符号を利用して、同一系列のカラオケ店に設置されたワイヤレスマイク２８であるか否かを判断し、当該判断データを、検出周波数データベース４４ｃを構成するデータに含ませてもよい。このような判断データを利用することにより、同一系列のカラオケ店に設置されたワイヤレスマイクについて、自店だけではなく、同一系列の他店を含めた範囲で混信が生じないように周波数調整を行うことができる。
【００５４】
＜検出周波数データ出力手段＞
検出周波数データ出力手段５１は、ワイヤレスマイク２８に設定されている周波数データと、検出周波数データベース４４ｃに格納された検出周波数データとを参照して、その周波数及び電波強度に基づき、ワイヤレスマイク２８からの送信信号と混信の可能性がある検出周波数データを識別可能に出力するためのプログラムからなる。本実施形態では、検出周波数データ出力手段５１から出力されるデータは、映像再生制御手段４７の機能により、表示装置２３に一覧表示される。なお、検出周波数データのすべてを表示し、これらのデータの中で、ワイヤレスマイク２８からの送信信号と混信の可能性があるデータを強調表示したり、反転表示したりすることにより、当該データを識別可能とすることができる。また、ワイヤレスマイク２８からの送信信号と混信の可能性があるデータのみを表示することにより、当該データを識別可能としてもよい。
【００５５】
そして、カラオケ演奏装置１１のサービスマン等がこの一覧表示を参照することにより、他のカラオケルームや近隣の通信環境を適格に把握して、当該カラオケ演奏装置１１に付帯するワイヤレスマイク２８が、近隣に存在する電波発信源３１（例えば、他店のワイヤレスマイク）と混信しないように、当該カラオケ演奏装置１１に付帯するワイヤレスマイク２８の周波数を適切な値に設定する。
【００５６】
また、検出周波数データ出力手段５１の機能として、混信の可能性がある検出周波数データを音声データとして出力し、この音声データをミキシングアンプ２４により増幅して、スピーカ２７から音声を発生させることにより、当該検出周波数データをサービスマン等に聴き取らせてもよい。
【００５７】
＜周波数設定手段＞
周波数設定手段５３は、カラオケ演奏装置１１に付帯するワイヤレスマイク２８に設定されている送信信号の周波数データと、当該ワイヤレスマイク２８からの送信信号と混信の可能性がある電波発信源３１からの検出周波数データとに基づいて、当該ワイヤレスマイク２８からの送信信号が他の電波発信源３１からの送信信号と混信しないように、当該ワイヤレスマイク２８からの送信信号の周波数を自動設定するためのプログラム及び電子回路からなる。この周波数設定手段５３では、近隣に存在する他のワイヤレスマイク等の電波発信源３１と混信する可能性がある周波数を除外して、当該カラオケ演奏装置１１に付帯するワイヤレスマイク２８の周波数を自動設定する。具体的には、検出周波数データに基づいて混信度数を算出し、この混信度数を利用して、ワイヤレスマイク２８に設定すべき各周波数チャンネルの優先順位を決定する。そして、決定した優先順位に基づいて、ワイヤレスマイク２８の周波数を自動設定するようなアルゴリズムを用いればよい。
【００５８】
＜周波数の設定＞
次に、図１、図４〜図６を参照して、本発明の実施形態のマイク送信信号の混信防止システムにより、ＦＭ受信器２６に入力される電波の周波数及び強度を把握し、周波数を設定する仕組みを説明する。図５は、混信度数の算出及び周波数の変更方法を示す説明図である。また、図６は、検出周波数データの表示例を示す模式図である。
【００５９】
本実施形態のマイク送信信号の混信防止システムでは、図１に示すように、音楽再生制御手段４８から演奏音声信号が送出されていない場合に、楽曲の演奏が行われていないと判断して、マイク制御手段５２の機能により、当該カラオケ演奏装置１１に付帯するワイヤレスマイク２８の電源を強制的にオフとする。なお、マイク制御手段５２からのマイクオンオフ制御信号は、赤外線送受信器２９を介してワイヤレスマイク２８に送信される。この状態で、周波数検出手段４９の機能により、ＦＭ受信器２６が受信した任意の電波発信源３１（例えば、他店のワイヤレスマイク）の周波数及び電波強度を検出し、検出周波数記憶手段５０の機能により、検出周波数データベース４４ｃを構築する。この際、電波を検出した時間データを付加してもよい。
【００６０】
そして、サービスマンがカラオケ演奏装置１１を操作してサービスモードに移行させ、検出周波数データの参照を指示すると、検出周波数データ出力手段５１の機能により、検出周波数データベース４４ｃに格納された検出周波数データを参照して、当該カラオケ演奏装置１１に付帯するワイヤレスマイク２８に設定されている周波数データと、これと混信する可能性がある電波発信源３１の周波数データとを出力する。出力されたデータは、図６に示すように、カラオケ演奏装置１１に付帯した表示装置２３に表示される。
【００６１】
検出周波数データの表示では、混信する可能性が高い順に周波数データを並び替えて表示することが好ましい。混信する可能性の評価値（混信度数）は、所定のアルゴリズムに従って算出される。例えば、図５に示すように、同一の周波数の場合には評価点を「５」とし、他グループで隣接する周波数及び相互変調の影響がある周波数の場合には評価点を「３」とし、同一グループにおける他周波数、他グループで相互変調の影響がない周波数の場合には評価点を「０」とする。
【００６２】
そして、周波数評価点と電波強度との和である混信度数を求めて、その数値が「７」以上であれば混信の可能性があると評価する。すなわち、同一グループにおける他周波数や、他グループで相互変調の影響が少ない周波数の場合には、電波強度が最強の「５」であっても混信度数は「５」となり、混信の可能性はないと評価することができる。一方、周波数が同一の場合には、電波強度が「２」であると、混信度数は「７」となり、混信の可能性があると評価することができる。また、周波数が同一の場合であっても、電波強度が「１」であると、混信度数は「６」となり、混信の可能性はないと評価される。混信の可能性を評価するためのアルゴリズムは、上述したものに限られず、カラオケ演奏装置１１が設置されている環境等に応じて、適宜設計することができる。
【００６３】
図４を参照して、周波数チャンネル１であるワイヤレスマイク（１）と周波数チャンネル２であるワイヤレスマイク（２）以外の電波発信源３１からの電波について、その混信度数及び混信の可能性を説明する。なお、ワイヤレスマイク（１）及びワイヤレスマイク（２）は、当該カラオケ装置１１で使用しているワイヤレスマイク２８とする。図４に示すように、ワイヤレスマイク（１）と同一の周波数チャンネル１の電波発信源３１が存在するが、その電波強度レベルは「１」であるため、混信度数は「６」となる。したがって、ワイヤレスマイク（１）と混信する可能性はないと評価される。また、ワイヤレスマイク（２）と同一の周波数チャンネル９の電波発信源３１が存在し、その電波強度レベルは「４」であるため、混信度数は「９」となる。したがって、ワイヤレスマイク（２）と混信する可能性があると評価される。
【００６４】
また、ワイヤレスマイク（１）の隣接周波数（他グループ）である周波数チャンネル２の電波発信源３１が存在するが、その電波強度レベルは「２」であるため、混信度数は「５」となる。したがって、ワイヤレスマイク（１）と混信する可能性はないと評価される。さらに、周波数チャンネル１及び周波数チャンネル９の３次相互変調周波数である周波数チャンネル１７の電波発信源３１が存在するが、その電波強度レベルは「２」であるため、混信度数は「５」となる。したがって、ワイヤレスマイク（１）及びワイヤレスマイク（２）と混信する可能性はないと評価される。その他の周波数チャンネルは、他グループで相互変調の影響がない周波数か、あるいは同一グループで他周波数であるため、電波強度の強弱にかかわらず、ワイヤレスマイク（１）及びワイヤレスマイク（２）と混信する可能性はないと評価される。
【００６５】
図４に示す例では、ワイヤレスマイク（２）の周波数チャンネルを、同一グループＡの周波数チャンネル３、周波数チャンネル１４、周波数チャンネル２８のいずれかに変更すればよい。なお、周波数チャンネルを変更する場合には、変更後においても他の電波発信源３１と相互変調の影響等がないように考慮しなければならない。
【００６６】
さらに、周波数を自動設定する構成とした場合には、周波数設定手段５３の機能により、当該カラオケ演奏装置１１に付帯するワイヤレスマイク２８に対して、近隣に存在する任意の電波発信源３１（例えば、他店のワイヤレスマイク）と混信しないような周波数が自動設定される。ここで、混信度数が「７」以上で混信の可能性があると判断された場合には、混信の可能性があるワイヤレスマイク２８について、まず、同一グループ内で混信の可能性が小さい他の周波数に変更できるか否かを判断し、変更が可能な場合には、同一グループ内で混信の可能性が小さい他の周波数に変更する。また、同一グループ内において、混信の可能性が小さい周波数が存在しない場合には、すべてのワイヤレスマイク２８を、他のグループで混信の可能性が小さい周波数に変更する。なお、周波数設定手段５３からの周波数設定信号は、ＦＭ受信器２６に送信されると共に、赤外線送受信器２９を介してワイヤレスマイク２８に送信される。
【００６７】
＜他の実施形態＞
本発明のマイク送信信号の混信防止システム及びその周辺装置を構成する機器や手段は上述したものに限定されず、その利用目的等に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００６８】
＜ネットワークカラオケシステム＞
また、上述した実施形態は、カラオケ演奏装置１１をスタンドアロンで使用した例を示しているが、各カラオケ店舗等に設置されたカラオケ演奏装置１１を端末装置とし、インターネット回線等を用いて、端末装置とホスト装置とをネットワーク接続した構成とすることもできる。この場合には、ホスト装置において、検出周波数データを集中管理することにより、ネットワーク接続された各カラオケ演奏装置１１におけるワイヤレスマイク２８の混信防止を、より一層効率的に管理することができる。
【００６９】
この場合、端末装置となるカラオケ演奏装置１１については、その設置場所を把握できるため、検出周波数データに設置場所データを含ませることにより、新たにカラオケ演奏装置１１を設置する際に、既に取得している検出周波数データを用いて、最適な周波数を設定することができる。
【符号の説明】
【００７０】
１１  カラオケ演奏装置
２１  カラオケ本体
２２  カラオケリモコン装置
２２ａ  楽曲検索手段
２２ｂ  楽曲索引データベース
２３  表示装置
２４  ミキシングアンプ
２５  トーンスケルチ手段
２５ａ  復調器
２５ｂ  トーン検出器
２５ｃ  制御器
２６  ＦＭ受信器
２７  スピーカ
２８  ワイヤレスマイク
２９  赤外線送受信器
３１  電波発信源
４１  中央制御手段
４２  ＲＯＭ
４３  ＲＡＭ
４３ａ  予約待ち行列
４４  ＨＤＤ
４４ａ  楽曲データベース
４４ｂ  映像データベース
４４ｃ  検出周波数データベース
４５  送受信手段
４６  予約管理手段
４７  映像再生制御手段
４８  音楽再生制御手段
４９  周波数検出手段
５０  検出周波数記憶手段
５１  検出周波数データ出力手段
５２  マイク制御手段
５３  周波数設定手段
【図１】
2010200214.tif 000003
【図２】
2010200214.tif 000004
【図３】
2010200214.tif 000005
【図４】
2010200214.tif 000006
【図５】
2010200214.tif 000007
【図６】
2010200214.tif 000008